(57)【特許請求の範囲】
【請求項１】
レンズを保持するレンズ保持部材と、
前記レンズ保持部材を被写体方向に付勢する付勢手段と、
回転駆動力を発生する駆動手段と、
光軸と平行に配置され、前記駆動手段の回転駆動力により回転するスクリュー軸と、
溝部と突き当て部とを有するナットであって、前記スクリュー軸に螺合し、前記スクリュー軸の回転に伴い前記スクリュー軸上を移動するナットと、
前記レンズ保持部材に配設され、前記ナットの前記溝部と係合して回転を防止するとともに、当該ナットの移動方向における係合可能な長さが、当該ナットの移動可能ストロークより短く設定され先端にテーパを有する第１の回転規制部と、
前記レンズ保持部材に配設され、前記付勢手段の付勢力により前記ナットに対して片側から当接し被写体方向に当該レンズ保持部材の移動が規制される規制部と、
前記レンズ保持部材を内部に備える鏡筒部材と、
前記鏡筒部材に設けられ、前記ナットの前記突き当て部と所定の隙間を有して設けられている第２の回転規制部であって、前記ナットが前記スクリュー軸上を移動する範囲の全区間又は前記第１の回転規制部の規制範囲より広い区間で前記ナットの回転を防止する第２の回転規制部と、を備え、
前記レンズ保持部材は、前記ナットの移動に追従して光軸方向に移動することを特徴とするレンズ鏡筒。
【請求項２】
前記第１の回転規制部と前記ナットとが係合した状態で、前記第２の回転規制部は、前記ナットに対し所定の隙間をおいて対向することを特徴とする請求項１記載のレンズ鏡筒。
【請求項３】
前記第２の回転規制部は、前記レンズ保持部材が収納される収納部材に配設され、前記ナットの回転を所定の回転角以内に規制することを特徴とする請求項１記載のレンズ鏡筒。
【請求項４】
前記請求項１乃至３の何れかに記載のレンズ鏡筒が装着されることを特徴とする撮像装置。
【発明の詳細な説明】
【技術分野】
【０００１】
本発明は、デジタルカメラ、銀塩カメラ、ビデオカメラなどの撮像装置に装着されるレンズ鏡筒及び撮像装置に関する。
【背景技術】
【０００２】
従来、ガイド軸を介して移動するレンズ鏡筒の静圧対策に関する技術が提案されている（例えば、特許文献１参照）。該提案では、モータの駆動力によりスクリューが回転することにより、該スクリューに噛み合うラックが軸方向に移動する。このとき、ラックがレンズ保持部材に対してバネで片寄せ（付勢）されており、レンズが前方から静圧を受けた時にレンズとラックが相対移動することを可能としている。レンズ保持部材のストッパが固定部材に突き当たることで、レンズが静圧を受けるような構造になっている。
【０００３】
また、レンズ鏡筒の静圧対策に関する他の技術も提案されている（例えば、特許文献２参照）。該提案では、リードスクリューの回転により光軸方向に動くナット板を設け、光軸方向に伸びるガイド軸に沿って移動可能なレンズ保持枠が、ナット板に対して付勢手段により片側から付勢されている。レンズ鏡筒を短縮しカメラ本体に収納する沈胴時に、レンズ保持枠は所定の沈胴位置で停止する。沈胴時のレンズ保持枠の停止位置を、レンズ保持枠をナット板に当接させナット板から離すことにより、設定する。レンズ保持枠をナット板から離すため、このときのレンズに対する静圧はナット板に加わらないようになっている。
【特許文献１】特開２０００−１８０６９３号公報
【特許文献２】米国ＵＳ６６５０４８８号
【発明の開示】
【発明が解決しようとする課題】
【０００４】
しかしながら、上記特許文献１記載の従来技術では、レンズが静圧を受けたときラックは動かないが、チャージされた片寄せバネ力がラックに加わる。そのため、直接、ラックは押されないにしても、ラックのネジ部が損傷したり歯が欠けたりするなどの可能性がある。
【０００５】
また、上記特許文献２記載の従来技術のように、光軸方向に移動可能なナット板を用いた場合には、ナット板の回転止めはレンズのガイド軸にもなっている。よって、ガイド軸とナット板は光軸方向に重なるため、レンズ鏡筒を薄くすることができないという問題がある。
【０００６】
また、レンズ保持枠のスリーブを長くしてレンズの倒れが起きにくくすることも困難になり、レンズの精度を出しにくい。
【０００７】
回り止め側のガイド軸をナット板の回転止めにすると、今度はナット板がスリーブ側から遠くなるため、抉りやすくなる。そのため、動作の安定性が悪くなり、精度不良が出やすいという問題がある。
【０００８】
また、ナット板の回転止めを別個に設けるとしても、ストローク分の軸を通すスペースが必要になる。また、軸の数が増えると、複数の軸の平行性を出すのに部品に高い精度が求められる。そのため、部品の加工の手間、コストの上昇、組み立て性の低下などの問題が発生する。
【０００９】
本発明の目的は、従来のようなスクリュー軸やナットの損傷や変形によりレンズの精度が狂うことを防止すること等を可能としたレンズ鏡筒及び撮像装置を提供することにある。
【課題を解決するための手段】
【００１１】
上述の目的を達成するために、本発明のレンズ鏡筒は、レンズを保持するレンズ保持部材と、前記レンズ保持部材を被写体方向に付勢する付勢手段と、回転駆動力を発生する駆動手段と、光軸と平行に配置され、前記駆動手段の回転駆動力により回転するスクリュー軸と、溝部と突き当て部とを有するナットであって、前記スクリュー軸に螺合し、前記スクリュー軸の回転に伴い前記スクリュー軸上を移動するナットと、前記レンズ保持部材に配設され、前記ナットの前記溝部と係合して回転を防止するとともに、当該ナットの移動方向における係合可能な長さが、当該ナットの移動可能ストロークより短く設定され先端にテーパを有する第１の回転規制部と、前記レンズ保持部材に配設され、前記付勢手段の付勢力により前記ナットに対して片側から当接し被写体方向に当該レンズ保持部材の移動が規制される規制部と、前記レンズ保持部材を内部に備える鏡筒部材と、前記鏡筒部材に設けられ、前記ナットの前記突き当て部と所定の隙間を有して設けられている第２の回転規制部であって、前記ナットが前記スクリュー軸上を移動する範囲の全区間又は前記第１の回転規制部の規制範囲より広い区間で前記ナットの回転を防止する第２の回転規制部と、を備え、前記レンズ保持部材は、前記ナットの移動に追従して光軸方向に移動することを特徴とする。
【発明の効果】
【００１２】
本発明によれば、レンズが静圧を受けた場合でも力がナットには伝わらない構造のため、従来のようなスクリュー軸やナットの損傷或いは変形によりレンズの精度が狂うことを防止することが可能となる。また、レンズ鏡筒を光軸方向にスペースを取らず薄型化することが可能となり、精度を保ち且つ円滑に駆動することが可能なレンズ鏡筒を実現することが可能となる。特に、ナットの移動方向における回転規制部の係合可能な長さが、ナットの移動可能ストロークより短く設定されているので、レンズ鏡筒を小型化することができる。更に、回転規制部の先端にテーパを設けることで、回転規制部とナットとの当接が外れたとしても、ナットは元の位置に復帰できるという従来にない、画期的な効果を奏する。
【発明を実施するための最良の形態】
【００１３】
以下、本発明の実施の形態を図面を参照して説明する。
【００１４】
図１は、本発明の実施の形態に係るレンズ鏡筒の構成を示す分解斜視図であり、図２は、レンズ鏡筒の組み立て完成状態における内部構造を示す断面図である。
【００１５】
図１及び図２において、レンズ鏡筒は、第１群レンズ１、レンズ移動枠２、１群鏡筒３、バリア駆動ユニット６、第２群レンズ１１、２群鏡筒１２、直進筒１６、移動カム環１７、固定カム筒１９、ＣＣＤホルダ２０、ナット２７、スクリュー軸２８等を備えている。
【００１６】
第１群レンズ１は、フォーカスレンズから構成されている（以下フォーカスレンズ１と表記する）。レンズ移動枠２は、フォーカスレンズ１が嵌合可能な円筒形状を有し、フォーカスレンズ１を保持するものであり、回り止め２ａ、軸受部２ｂ、支持部２ｃ、及び規制部を備えている。また、レンズ移動枠２は、圧縮バネ２６の付勢力により被写体方向（図２では上方向）に付勢される。
【００１７】
回り止め２ａは、ナット２７のＵ溝２７ａ（図７参照）と係合する。軸受部２ｂは、レンズ移動枠２の光軸方向への移動時にガイドバー２５に対して摺動する。支持部２ｃは、レンズ移動枠２の光軸方向への移動時に地板５の回り止めガイド５ａに対して摺動する。規制部２ｄは、圧縮バネ２６の付勢力によりナット２７の一方の面（図２及び図６ではナット２７の下面）に対して片側から当接し被写体方向に規制する。即ち、規制部２ｄがナット２７の一方の面に当接することで規制し、ナット２７の他方の面（図２及び図６ではナット２７の上面）は規制しない。
【００１８】
１群鏡筒３は、レンズ移動枠２を光軸方向のみに移動可能となるように支持し且つレンズ移動枠２を収納するものであり、回転規制部３ａ、支持部３ｂ、支持部３ｃ、カムピン座部３ｄを備えている。回転規制部３ａは、ナット２７の回転を規制する。また、回転規制部３ａは、ナット２７が後述のスクリュー軸２８上を移動する範囲の全区間、またはレンズ移動枠２の回り止め２ａの規制範囲より広い区間で、ナット２７の回転を防止する。支持部３ｂは、ガイドバー２５を支持する。支持部３ｃは、地板５を支持する。カムピン４は、１群鏡筒３の外周部にあるカムピン座部３ｄに圧入されており、移動カム環１７のカム（後述）に沿って移動可能である。
【００１９】
地板５は、レンズバリア羽根（以下バリア羽根と略称）７、８、バリアカバー９が固定され、回り止めガイド５ａが一体に形成されている。バリア駆動ユニット６は、バリア羽根７、８を動かすためのユニットである。バリアカバー９は、バリア羽根７、８を押える部材であり、開口部９ａを有する。外装キャップ１０は、バリアカバー９を押える部材である。ガイドバー２５は、フォーカスレンズ１を光軸方向に案内する部材である。ガイドバー２５とレンズ移動枠２の軸受部２ｂを、地板５の回り止めガイド５ａとレンズ移動枠２の支持部２ｃをそれぞれ摺動させることで、フォーカスレンズ１を光軸方向に沿って移動可能に支持する。
【００２０】
ＡＦ(Auto Focus)モータ３１は、レンズ移動枠２を介してフォーカスレンズ１を光軸方向に移動させる際の駆動力を発生する。ＡＦモータ３１の回転軸には、ギア３０が噛み合い、ギア３０には、ギア２９が噛み合っている。更に、ギア２９には、スクリュー軸２８に一体に形成されたギアが噛み合い、スクリュー軸２８には、ナット２７が螺合されている。スクリュー軸２８は、光軸と平行に配置されている。レンズ移動枠２は、圧縮バネ２６の作用によりナット２７に対して片寄せされ、位置が規制されている。
【００２１】
ここで、フォーカスレンズ１によるフォーカス動作を行う際のストロークは、光軸方向被写体側の隙間Ｌ１と光軸方向像面側の隙間Ｌ２により決定される。上記ガイドバー２５はナット２７の回り止めに使用しておらず、このため、ナット２７などの機構の厚み分の長さをとる必要がない。そのため、フォーカスのストロークは、ストローク機構全長Ｌａに対していっぱいに取ることができる。
【００２２】
尚、ストローク機構全長Ｌａは、レンズ移動枠２の軸受部２ｂの長さＬ０と、隙間Ｌ１と、隙間Ｌ２の合計である。このため、ストローク機構全長Ｌａに対して、軸受部２ｂの長さＬ０も、必要なフォーカスのストローク以外の長さいっぱいにとることができる。これにより、軸受部２ｂの長さＬ０を長く取ることで、ガイドバー２５と軸受け部２ｂの摺動部のガタにより生じるレンズ移動枠２の傾きが少なくなるため、レンズ移動枠２が該レンズ移動枠２に嵌合させるフォーカスレンズ１と一体になってガタにより傾くことにより生じる、フォーカスレンズ１の倒れを少なくすることができる。
【００２３】
第２群レンズ１１は、フォーカスレンズ１と同軸上に配置されている。２群鏡筒１２は、第２群レンズ１１が嵌合可能な内径部を有し、第２群レンズ１１を保持する。２群鏡筒１２には、該２群鏡筒１２と一体に動くように、絞りシャッタを含むユニット（アクチュエータ１３、シャッタ羽根１４ａ、絞り羽根１４ｂ、絞り板１５）が取り付けられている。アクチュエータ１３に通電することにより、シャッタ羽根１４ａ、絞り羽根１４ｂを駆動することができる。絞り板１５は、第２群レンズ１１の開放を決めるための部材である。
【００２４】
固定カム筒１９は、円筒形状を有し、内径部にカム溝１９ａが形成されている。固定カム筒１９の内側には、移動カム環１７が嵌合される。移動カム環１７は、円筒形状を有し、ギア部１７ａ、溝１７ｂ、カム１７ｃ、カム１７ｄを備えている。ギア部１７ａは、鳴門ギア２１と噛み合う。溝１７ｂには、直進筒１６の爪１６ｃ（後述）が係合する。移動カム環１７の内側には、直進筒１６が嵌合される。カムピン１８は、移動カム環１７の外周部に圧入されている。カムピン１８及びカム１７ｃ、カム１７ｄは、それぞれが移動カム環１７に対して周方向に１２０度間隔で３ヶ所に、それぞれ同一形状のものが配置されている。
【００２５】
直進筒１６は、円筒形状を有し、１群鏡筒３、２群鏡筒１２を光軸方向に直進させるための部材であり、カム溝１６ａ、カム溝１６ｂ、爪１６ｃを備えている。カム溝１６ａには、１群鏡筒３のカムピン座部３ｄが係合する。カム溝１６ｂには、２群鏡筒１２のカムピンの円柱部１２ａが係合する。爪１６ｃは、移動カム環１７の溝１７ｂに係合する。
【００２６】
１群鏡筒３のカムピン４と、２群鏡筒１２のカムピン１２ｂは、それぞれカム１７ｃ、カム１７ｄに係合されている。これらのカムピンとカムは、１２０度間隔で等分に３ヶ所配設されているため、１群鏡筒３と２群鏡筒１２は光軸と垂直な方向での位置が決まり、１群鏡筒３と２群鏡筒１２は光軸方向にしか移動しない。
【００２７】
鳴門ギア２１は、その内径部に軸２２が圧入され、該軸２２を介してズームモータ（不図示）の回転駆動力が伝達される。
【００２８】
上記ズームモータによる駆動により鳴門ギア２１が回転すると、鳴門ギア２１と移動カム環１７のギア部１７ａとが噛み合っているため、移動カム環１７が回転する。これに伴い、移動カム環１７の外周部に圧入されたカムピン１８が、固定カム筒１９の内側のカム溝１９ａに沿って動くため、移動カム環１７は、光軸方向に移動する。
【００２９】
また、直進筒１６は、爪１６ｃが移動カム環１７の内側の溝１７ｂに引っ掛かっており、固定カム筒１９の内側において直進のカム溝１６ｂにより回転はしないで、移動カム環１７と一緒に光軸方向に直進運動する。移動カム環１７の光軸方向への移動に伴い、移動カム環１７のカム溝１７c、１７ｄに沿ってそれぞれカムピン４、カムピン１２ｂが動くことにより、それぞれ１群鏡筒３と２群鏡筒１２が光軸方向に移動する。
【００３０】
ＣＣＤホルダ２０は、固定カム筒１９の一方の端面に固定されており、ホルダ内部にＬＰＦ（Low Pass Filter）２３とＣＣＤ（Charge Coupled Device）２４を保持している。上記ズームモータにより移動カム環１７を駆動することにより、ＣＣＤ２４と第２群レンズ１１とフォーカスレンズ１との位置関係を変える。これにより、ズーム動作が行われる。
【００３１】
図３は、１群鏡筒３の内部の構成を示す図である。
【００３２】
図３において、バリア羽根７とバリア羽根８は、各々の回転軸の部分に形成されたギアを介して噛合っており、バリア羽根８が回転すれば、該バリア羽根８の回転方向と反対の方向にバリア羽根７が回転するように構成されている。バリア駆動ユニット６の内部には、バリア羽根７、８の開き方向に負荷をかける開きバネ（不図示）と、閉じ方向に負荷をかける閉じバネ３４が配設されている。
【００３３】
閉じバネ３４は、トーションバネから構成されている。閉じバネ３４の両端部は、２部品で構成されるバリアレバー３２、バリアレバー３３のそれぞれの上部に形成されたバネ掛け用の突起部３２ａ、３３ａに固定されている。尚、バリアレバー３３は突起部３３ａの奥側（図３の紙面裏側）に位置しているため、図示していない。閉じバネ３４の力により、バリアレバー３２とバリアレバー３３の間に負荷をかけることで、バリア羽根８を閉じる方向に片寄せしている。
【００３４】
バリア羽根７、８を開く場合は、以下のように動作する。開きバネ（不図示）によりバリアレバー３３が右回りに回転することにより、バリア羽根８は突起部３２ａに押されて左回りに回転する。バリア羽根７、８のギアの噛み合いにより、バリア羽根７はバリア羽根８と反対の右回りに回転する。これにより、バリア羽根７、８が開くことになる。
【００３５】
バリア羽根７、８を閉じる場合は、以下のように動作する。バリアレバー３３は、ＣＣＤホルダ２０から突き出しているカム部のカム面に押し付けられることにより、開きバネに反して左回りに回転する。この時、突起部３２ａが回転により下がってくるため、閉じばね３４の働きにより同時にバリア羽根８が右回りに回転する。バリア羽根７、８のギアの噛合いにより、バリア羽根７は左回りに回転する。これにより、バリア羽根７、８が合わさるところで止まり、閉じる。バリアレバー３３は、バリア羽根８が止っても更に回転して閉じバネ３４を引っ張ることにより、バリア羽根７、８の閉じ力を更にチャージする。
【００３６】
以上のようにして、バリア駆動ユニット６が１群レンズユニット（フォーカスレンズ１、１群鏡筒３）と結合して一体的に光軸方向前後に動くことにより、２枚のバリア羽根７、８が開閉するような仕組みとなっている。
【００３７】
図４は、１群鏡筒３の上記図３より奥側の内部の構成を示す図であり、図５は、１群鏡筒３の一部を切り欠いた内部の構成を示す斜視図である。
【００３８】
図４及び図５において、上記図２に示したナット２７は、Ｕ溝２７ａ、突き当て部２７ｂを備えている。ナット２７のＵ溝２７ａには、レンズ移動枠２と一体に形成された回り止め２ａが係合している。ＡＦモータ３１を駆動することにより、ＡＦモータ３１の回転軸に連結されたギア３０、該ギア３０に噛み合うギア２９が順次回転し、該ギア２９に噛み合うギアを有するスクリュー軸２８が回転する。
【００３９】
ナット２７は、レンズ移動枠２の回り止め２ａにより回転が止められているため、スクリュー軸２８の軸上を移動する。また、フォーカスレンズ１を保持したレンズ移動枠２は、上述したように、圧縮バネ２６の作用によりナット２７に対して片寄せされ位置が規制されている。これにより、ナット２７の移動に追従して、フォーカスレンズ１の位置を光軸方向に移動させることができる。
【００４０】
この場合、レンズ移動枠２の回り止め２ａは、ナット２７の移動方向における係合可能な長さがナット２７の移動可能ストロークより短く設定されている。また、レンズ移動枠２の回り止め２ａは、ナット２７の移動方向における係合可能な長さのうちの一部にテーパ部（図６参照）が形成されている。また、ナット２７は、レンズ移動枠２の回り止め２ａから外すことが可能である。
【００４１】
図６は、ナット２７とレンズ移動枠２の位置関係を示す図である。
【００４２】
図６において、Ａの状態が、ナット２７とレンズ移動枠２の回り止め２ａとが当接し且つ噛み合った状態である。フォーカスレンズ１が前方（図２では上方）から押されたときに、圧縮バネ２６により片寄せされているレンズ移動枠２は、圧縮バネ２６をチャージしながらＣＣＤ２４方向に移動する。その状態を示したものが、Ｂの状態とＣの状態である。
【００４３】
Ｂの状態では、ナット２７とレンズ移動枠２の回り止め２ａとの当接する位置が、回り止め２ａがテーパになっている位置であるため、ナット２７は、ある程度回転可能であるが、レンズ移動枠２の回り止め２ａのテーパ部にあたる位置で回転が規制される。また、レンズ移動枠２の回り止め２ａのテーパ部の作用により、ナット２７は、回り止め２ａのテーパ部にあたる位置で外力がなくなれば、元の位相に戻りながらＡの状態に復帰することができる。
【００４４】
図７は、上記図４の一部を拡大した、Ｃの状態の時のナット２７の位置関係を示す図である。
【００４５】
図７において、ナット２７における１群鏡筒３と対向する側には、２箇所の突き当て部２７ｂ、２７ｂが設けられている。また、１群鏡筒３におけるナット２７と対向する側には、回転規制部３ａ（壁面）が設けられており、ナット２７が回転したときの回転を規制する。１群鏡筒３の回転規制部３ａは、ナット２７がどの方向に回転しても、ナット２７のＵ溝２７ａがレンズ移動枠２の回り止め２ａのテーパ部から外れないように、ナット２７の回転を所定の回転角以内に規制するような位置関係に設定されている。
【００４６】
この場合、レンズ移動枠２の回り止め２ａとナット２７のＵ溝２７ａとが係合している状態で、１群鏡筒３の回転規制部３ａは、ナット２７に対し所定の隙間をおいて対向するように設定されている。
【００４７】
尚、本実施の形態では、１群鏡筒３の回転規制部３ａは、ナット２７のストローク全域（ナット２７がスクリュー軸２８を介して移動する範囲の全区間）をカバーしている。但し、ナット２７のストローク全域におけるＣＣＤ２４方向側端部からその付近の領域では、ナット２７がレンズ移動枠２の回り止め２ａから外れることがないので、１群鏡筒３の回転規制部３ａを省略することも可能である。
【００４８】
ここで、ナット２７に対する外力がなくなった場合、レンズ移動枠２が、圧縮バネ２６の付勢力により光軸方向の被写体側（図２の上方側）に押されて動くため、レンズ移動枠２の回り止め２ａのテーパ部とナット２７のＵ溝２７ａが突き当たる。これにより、ナット２７はＣの状態からＢの状態となる。その後、上記同様に、ナット２７はＢの状態からＡの状態に戻る。
【００４９】
よって、ナット２７がＡの状態から外力を受けてＣ状態となりナット２７が回転してしまった場合で、Ｃの状態において１群鏡筒３の回転規制部３ａによる規制範囲でナット２７がＡの状態に戻った場合には、ナット２７の回転の位相も元に戻る。これにより、ナット２７及びフォーカスレンズ１を、光軸方向において元の位置に復帰させることができる。
【００５０】
また、フォーカスレンズ１に外力が加わると、最終的にはレンズ移動枠２が最も繰り込まれた位置（図２の下方側）まで押され、レンズ移動枠２の軸受部２ｂと支持部２ｃが、それぞれ１群鏡筒３の支持部３ｂと支持部３ｃに突き当たるようになっている。
【００５１】
以上のようにして、手動でレンズ移動枠２を光軸方向の結像面側（図２の下方側）に退避させて退避位置で静圧を受け、手を放すと、フォーカスレンズ１を元の位置に復帰させることができる。また、Ａの状態、即ち、ナット２７のＵ溝２７ａにレンズ移動枠２の回り止め２ａが係合した状態では、ナット２７の突き当て部２７ｂは１群鏡筒３の回転規制部３ａとは当たらないように設定されている。これにより、ナット２７がレンズ移動枠２と光軸方向に移動する際には、余計な摩擦を生じることがなく、円滑に移動することができる。
【００５２】
図８は、上記図１乃至図７に示したレンズ鏡筒が装着されるデジタルカメラの構成を示すブロック図である。
【００５３】
図８において、デジタルカメラは、ＣＰＵ５０１、信号処理回路５０２、ＬＣＤ５０４、スピーカ５０６、信号出力端子５０７、メモリ５０８、記録部５０９、マイク５１０、通信端子５１１、電源制御部５１２、ストロボ５１３、操作部５１４、撮像系５０５を備えている。
【００５４】
撮像系５０５において、撮像素子５０３は、レンズにより結像された像を光電変換して映像信号として出力するＣＣＤから構成される。シャッタ駆動部５２０は、シャッタの開閉を行う。絞り駆動部５１９は、絞り機構を駆動する。ＡＦリセット部５１７は、ＡＦ動作をリセットする。ＡＦモータ５１８は、フォーカスレンズを駆動するものであり、図１のＡＦモータ３１に相当する。ＰＺリセット部５１５は、ズーム動作をリセットする。ＰＺモータ５１６は、図１の移動カム環１７の回転（正転）／逆転駆動を行う。
【００５５】
ＣＰＵ５０１は、デジタルカメラ全体を制御する。信号処理回路５０２は、撮像素子５０３から出力される映像信号に対し、増幅、Ａ／Ｄ変換、γ処理、圧縮、Ｄ／Ａ変換、ＡＦ評価値の生成等の各種の処理を行う。マイク（ＭＩＣ）５１０は、音声を電気信号に変換して、信号処理回路５０２に入力する。ＬＣＤ５０４は、撮影画像を表示する。信号出力端子５０７は、デジタルカメラ外部のモニタ等の機器に画像や音声を出力するための端子である。
【００５６】
スピーカ５０６は、音声を出力する。信号処理回路５０２で信号処理された信号が、ＬＣＤ５０４、スピーカ５０６、信号出力端子５０７からそれぞれ画像音声出力として再生され、出力される。操作部５１４は、デジタルカメラを操作するための、電源スイッチ、ズームキー、レリーズボタン等の各種操作部材から構成される。メモリ５０８は、静止画データを一時記憶する。記録部５０９は、静止画データを記録する交換可能なメモリメディアである。
【００５７】
通信端子５１１は、外部機器と通信を行うための端子である。電源制御部５１２は、バッテリ、ＤＣ／ＤＣコンバータ、制御回路、バッテリチェック回路等から構成される。バッテリは、デジタルカメラ全体に電源の供給を行う。ＤＣ／ＤＣコンバータは、各部に供給する電圧を変換して作り出す。制御回路は、各部に供給される電圧／電流の制御を行う。バッテリチェック回路は、バッテリチェックのための電圧測定を行う。
【００５８】
本実施の形態のデジタルカメラは、ユーザによる操作部５１４からの電源オフ操作時に、レンズ鏡筒が短くなりデジタルカメラ本体に収納される沈胴式になっている。
【００５９】
電源オン操作された場合には、ＰＺモータ５１６が回転し、減速機構（不図示）により減速された後、移動カム環１７が回転し、ワイド（広角側）の繰り出し状態になる。その繰り出しの途中で、ＰＺリセット部５１５によりズームをリセットする。これにより、ＣＰＵ５０１は、その後のＰＺモータ５１６の通電パルスをカウントすることにより、常にレンズの位置を把握することができる。
【００６０】
電源オフ操作された場合には、上記とは逆に、ＰＺモータ５１６が逆転し、移動カム環１７が逆転し沈胴する。繰り出し状態で、操作部５１４の上記ズームキーによるワイド（広角側）、テレスコープ（望遠側）操作がなされた場合には、ＰＺモータ５１６が回転し、移動カム環１７がワイド（広角側）−テレスコープ（望遠側）間で回転する。これにより、デジタルカメラのズーム動作が行われる。
【００６１】
動画を撮影する場合は、ＣＰＵ５０１は、信号処理回路５０２で撮像素子５０３からの映像信号に処理を施した信号を基にＡＥ（Auto Exposure）処理を行って露出を決め、絞り駆動部５１９を駆動して絞り値を決定する。また同時に、ＣＰＵ５０１は、ＡＦ評価値をチェックし、ＡＦ評価値が低い場合にはＡＦモータ５１８を低速で駆動し、ＡＦ評価値の高い位置にフォーカスレンズ１を移動させ停止させる。これらの動作は、動画撮影中に行ってもよく、各アクチュエータを必ずしも停止させなくてもよい。
【００６２】
静止画を撮影する場合は、ユーザが操作部５１４の上記レリーズボタンを押すと、まず、ＣＰＵ５０１は、ＡＦリセット部５１７及びＡＦモータ５１８を駆動し、レンズを通した被写体像のピントが合うように制御する。次に、ＣＰＵ５０１は、撮像素子５０３の出力を基にＡＥ処理を行い、適正な露光量となる絞り値とシャッタスピードを決定し、絞り駆動部５１９を駆動して適正な露光量になるように絞りを制御する。
【００６３】
次に、ＣＰＵ５０１は、撮像素子５０３をリセットして光電変換により電荷の蓄積を開始し、シャッタ駆動部５２０により上記ＡＥ処理で決定したシャッタスピードになるようにシャッタを閉じる制御を行う。露光量が足りない場合には、ＣＰＵ５０１は、電荷蓄積開始からシャッタが開いている時間内にストロボ５１３を発光させる。ＣＰＵ５０１は、撮影された映像信号を信号処理回路５０２で処理し、処理された静止画データをメモリ５０８に一時記憶した後、記録部５０９に記録する。
【００６４】
以上説明したように、本実施の形態によれば、外力によりレンズ移動枠２が押され移動したとき、ナット２７には外力及び圧縮バネ２６の付勢力がかからない。更に、ナット２７とレンズ移動枠２の位置関係が変わったとき、ナット２７とレンズ移動枠２の回り止め２ａとは、所定の範囲で係合され、それ以外の範囲では係合されない。レンズ移動枠２に加わる外力がなくなると、ナット２７とレンズ移動枠２の回り止め２ａとは、上記と同じ位置関係となるように係合される。これにより、例えばレンズ清掃作業などのためにフォーカスレンズ１が静圧を受けた場合でも、力がナット２７には伝わらない構造のため、従来のようなスクリュー軸やナットの損傷或いは変形によりレンズの精度が狂うことを防止することが可能となる。
【００６５】
また、レンズ鏡筒の変形やレンズ鏡筒の送り機構の損傷を防止しながら、レンズ鏡筒を光軸方向にスペースを取らず薄型化でき、且つ、レンズ移動枠２の軸受部２ｂの長さＬ０もできるだけ確保することが可能となる。レンズ移動枠２の軸受部２ｂの近くにナット２７を配置することで、精度を保ち且つ円滑に駆動することが可能なレンズ鏡筒を実現することが可能となる。
【００６６】
また、ナット２７の回転を防止するレンズ移動枠２の回り止め２ａを、フォーカスレンズ１を光軸方向へ移動させるためのガイドバー２５とは別に配置している。これにより、レンズ移動枠２のスリーブ部材（軸受部２ｂ）をできるだけ長く取ることが可能となり、フォーカスレンズ１の倒れを抑制することが可能となる。
【００６７】
また、上記のようにレンズ移動枠２の回り止め２ａをガイドバー２５とは別に配置しているため、配置の自由度が上がり、ナット２７とスリーブ部材が重ならない分、光軸方向にレンズ機構全体を短くすることが可能となる。これにより、レンズ鏡筒を搭載するカメラの薄型化が可能となる。
【００６８】
特に、ナット２７をレンズ移動枠２の回り止め２ａから外せるようにしたことで、ナット２７の長さをフォーカスレンズ１のストロークより短くすることが可能となる。これにより、レンズ鏡筒内のスペースの有効利用が可能となり、レンズ鏡筒及び該レンズ鏡筒が装着されるカメラの小型化が可能となる。
【００６９】
また、１群鏡筒３の回転規制部３ａにより、ナット２７のストローク全域でナット２７の回転角を一定以内に保持している。これにより、ナット２７がレンズ移動枠２の回り止め２ａから外れた際にナット２７が回転してしまった場合でも、ナット２７の光軸方向の位置が大きく動くことはない。しかも、レンズ移動枠２の回り止め２ａにテーパ部を形成することで、ナット２７を元の位相に誘導する。これにより、ナット２７及びフォーカスレンズ１の位置を元の位置に戻すことができる。
【００７０】
［他の実施の形態］
上記実施の形態では、本発明のレンズ鏡筒をデジタルカメラに装着した場合を例に挙げたが、これに限定されるものではなく、本発明のレンズ鏡筒を銀塩カメラやビデオカメラに装着する場合にも適用可能である。
【図面の簡単な説明】
【００７１】
【図１】本発明の実施の形態に係るレンズ鏡筒の構成を示す分解斜視図である。
【図２】レンズ鏡筒の組み立て完成状態における内部構造を示す断面図である。
【図３】１群鏡筒の内部の構成を示す図である。
【図４】１群鏡筒の奥側の内部の構成を示す図である。
【図５】１群鏡筒の一部を切り欠いた内部の構成を示す斜視図である。
【図６】ナットとレンズ移動枠の位置関係を示す図である。
【図７】図４に示すナット付近を拡大した図である。
【図８】レンズ鏡筒が装着されるデジタルカメラの構成を示すブロック図である。
【符号の説明】
【００７２】
１  フォーカスレンズ（レンズ）
２  レンズ移動枠（レンズ保持部材）
２ａ  回り止め（回転規制部、第１の回転規制部）
３  １群鏡筒（収納部材）
３ａ  回転規制部（第２の回転規制部）
２６  圧縮バネ（付勢手段）
２７  ナット
２７ａ  Ｕ溝
２８  スクリュー軸
２９、３０  ギア
３１  ＡＦモータ（駆動手段）
【図１】
0004724479.tif 000002
【図２】
0004724479.tif 000003
【図３】
0004724479.tif 000004
【図４】
0004724479.tif 000005
【図５】
0004724479.tif 000006
【図６】
0004724479.tif 000007
【図７】
0004724479.tif 000008
【図８】
0004724479.tif 000009